(57)【要約】【課題】符号分割多元接続方式が用いられる無線通信システムにおいて、物理データチャネルを介してビット系列が再送された場合における物理制御チャネルの受信特性を向上させた無線通信装置及び物理制御チャネル受信方法を提供する。【解決手段】無線基地局１００は、物理制御チャネルを介して送信元から制御情報を含むビット系列を受信する。無線基地局１００は、送信元から送信されたビット系列と、拡散符号に基づいて生成されるビット系列の複数のレプリカとの相関値をそれぞれ計算する相関部１０９及びE-DPCCH合成部１１５を備える。また、無線基地局１００は、送信元から送信されたビット系列の相関値、及び物理データチャネルの再送に伴って送信元から再送されたビット系列の相関値に基づいて、レプリカに含まれる制御情報の中からビット系列に含まれる制御情報を同定する同定部１１７を備える。【選択図】図２
2010283515.tif 000002
【特許請求の範囲】
【請求項１】
符号分割多元接続方式が用いられる無線通信システムに含まれ、物理制御チャネルを介して送信元から制御情報を含むビット系列を受信する無線通信装置であって、
前記送信元から送信された前記ビット系列と、拡散符号に基づいて生成される前記ビット系列の複数のレプリカとの相関値をそれぞれ計算する相関値計算部と、
前記送信元から送信された前記ビット系列の相関値、及び物理データチャネルでの再送に伴って前記送信元から再送された前記ビット系列の相関値に基づいて、前記レプリカに含まれる前記制御情報の中から前記ビット系列に含まれる前記制御情報を同定する同定部と
を備える無線通信装置。
【請求項２】
前記制御情報は、前記物理データチャネルの送信フォーマットを示す送信フォーマット情報を含み、
前記相関値計算部は、前記送信元から送信または再送された前記ビット系列を受信する都度、前記ビット系列と前記レプリカとの相関値を計算し、前記相関値が最大となる前記レプリカから判定される前記送信フォーマット情報を前記送信元から送信または再送される都度、足し合わせ、
前記同定部は、前記送信フォーマット情報を同定する請求項１に記載の無線通信装置。
【請求項３】
前記相関値計算部は、前記ビット系列に含まれる前記送信フォーマット情報を構成する各ビットの値に対して重みが反映された重み反映値を計算し、
前記同定部は、前記重み反映値に基づいて前記送信フォーマット情報を同定する請求項２に記載の無線通信装置。
【請求項４】
前記相関値計算部は、前記ビット系列と、前記レプリカとの相関値を計算し、最大相関値となるレプリカの相関値を、平均相関値となるレプリカの相関値で除した値を前記重みとして用いる請求項３に記載の無線通信装置。
【請求項５】
前記相関値計算部は、前記ビット系列と、前記レプリカとの相関値を計算し、最大相関値となるレプリカの相関値を、前記最大相関値に次いで相関が高くなる相関値で除した値を前記重みとして用いる請求項３に記載の無線通信装置。
【請求項６】
前記相関値計算部は、前記ビット系列と、送信フォーマット情報レプリカとの相関値を計算し、最大相関値となるレプリカの相関値を、最小相関値となるレプリカの相関値で除した値を前記重みとして用いる請求項３に記載の無線通信装置。
【請求項７】
前記相関値計算部は、前記送信元から送信または再送された前記ビット系列を受信する都度、前記ビット系列と前記レプリカとの相関値を計算し、前記レプリカのうち、前記送信フォーマットが同一であるレプリカの相関値を順次累計し、
前記同定部は、前記相関値計算部によって累計された前記相関値が最大となる前記レプリカから判定される前記送信フォーマット情報を、前記制御情報に含まれる前記送信フォーマット情報と同定する請求項２に記載の無線通信装置。
【請求項８】
符号分割多元接続方式が用いられる無線通信システムにおいて、物理制御チャネルを介して送信元から制御情報を含むビット系列を受信する物理制御チャネル受信方法であって、
前記送信元から送信された前記ビット系列と、所定の拡散符号に基づいて生成される前記ビット系列の複数のレプリカとの相関値をそれぞれ計算するステップと、
前記送信元から送信された前記ビット系列の相関値、及び物理データチャネルでの再送に伴って前記送信元から再送された前記ビット系列の相関値に基づいて、前記レプリカに含まれる前記制御情報の中から前記ビット系列に含まれる前記制御情報を同定するステップと
を備える物理制御チャネル受信方法。
【発明の詳細な説明】
【技術分野】
【０００１】
本発明は、符号分割多元接続方式が用いられる無線通信システムにおいて、物理制御チャネルを介して送信元から制御情報を含むビット系列を受信する無線通信装置及び物理制御チャネル受信方法に関する。
【背景技術】
【０００２】
符号分割多元接続（CDMA）方式が用いられる第３世代携帯電話システムの仕様の検討及び作成を行うThird Generation Partnership Project（3GPP）において、上り方向の通信速度を向上させたEnhanced Uplink（EUL）が規定されている（例えば、非特許文献１）。
【０００３】
EULでは、Enhanced Dedicated Physical Data Channel（E-DPDCH）や、Enhanced Dedicated Physical Control Channel（E-DPCCH）などの物理チャネルが用いられる。
【０００４】
E-DPCCHは、物理データチャネルであるE-DPDCH用の物理制御チャネルであり、各種の制御情報が伝送される。具体的には、移動機（UE）が保持するデータバッファ及び余剰送信電力を考慮して、無線基地局（Node B）が許容したデータ送信率以上のデータを移動機が送信することができるか否かを示すHappyビット、HARQに従ったデータの再送順序を示すRetransmission Sequence Number（RSN）、及びE-DCHの送信フォーマットを示すE-DCH Transport Format Combination Indicator（E-TFCI）が、E-DPCCHを用いて伝送される。
【０００５】
Happyビットには１ビット、RSNには２ビット、E-TFCIには７ビットがそれぞれ割り当てられる。すなわち、E-DPCCHを用いて伝送されるコードワードのビット数は、１０ビットである。
【０００６】
当該１０ビットのコードワードは、所定の誤り訂正符号、具体的には、Reed-Muller符号に基づいて３０ビットのビット系列に符号化される。また、当該コードワード（ビット系列）について、所定の拡散符号に基づいて、２１０個、つまり、１，０２４個のレプリカが生成される。
【０００７】
無線基地局は、移動機からE-DPCCHを介して受信したビット系列、具体的にはコードワードと、レプリカとの相関値を取得する。無線基地局は、当該相関値の計算の結果、最も相関値のランキングが高いレプリカに対応するコードワードの内容を移動機から送信されたコードワードの内容と判定することによって、E-DPCCHを検出する。
【先行技術文献】
【非特許文献】
【０００８】
【非特許文献１】“3GPP TS 25.309 V.6.6.0 FDD Enhanced Uplink Overall description Stage 2 (Release 6)”、３ＧＰＰ、２００６年３月
【発明の概要】
【発明が解決しようとする課題】
【０００９】
しかしながら、上述した従来の方法には、次のような問題があった。すなわち、自動再送要求と誤り訂正とを含むハイブリッド自動再送要求（HARQ）に従って、E-DPDCH（物理データチャネル）を介して受信したビット系列が再送された場合でも、当該ビット系列の再送に伴ってE-DPCCHを介して再送された制御情報、具体的には、Happyビット、RSN及びE-TFCIは、何ら利用されていない。すなわち、E-DPCCH（物理制御チャネル）の受信特性の向上には改善の余地があった。
【００１０】
そこで、本発明は、符号分割多元接続方式が用いられる無線通信システムにおいて、物理データチャネルを介してビット系列が再送された場合における物理制御チャネルの受信特性を向上させた無線通信装置及び物理制御チャネル受信方法の提供を目的とする。
【課題を解決するための手段】
【００１１】
上述した問題を解決するため、本発明は、次のような特徴を有している。まず、本発明の第１の特徴は、符号分割多元接続方式が用いられる無線通信システム（第３世代携帯電話システム１）に含まれ、物理制御チャネルを介して送信元（移動機２００）から制御情報（E-TFCI１３）を含むビット系列（ビット系列Ｂ１）を受信する無線通信装置（無線基地局１００）であって、前記送信元から送信された前記ビット系列と、拡散符号に基づいて生成される前記ビット系列の複数のレプリカ（コードワードレプリカ３１）との相関値（例えば、相関値CMAX，相関値CAV）をそれぞれ計算する相関値計算部（相関部１０９及びE-DPCCH合成部１１５）と、前記送信元から送信された前記ビット系列の相関値、及び物理データチャネルでの再送に伴って前記送信元から再送された前記ビット系列の相関値に基づいて、前記レプリカに含まれる前記制御情報の中から前記ビット系列に含まれる前記制御情報を同定する同定部（同定部１１７）とを備えることを要旨とする。
【００１２】
このような無線通信装置によれば、送信元から送信されたビット系列の相関値、及び物理データチャネルの再送に伴って送信元から再送されたビット系列の相関値に基づいて、レプリカに含まれる制御情報の中から、受信したビット系列に含まれる制御情報が同定される。このため、物理データチャネルでの再送に伴って送信元から物理制御チャネルを介して再送されたビット系列を利用して制御情報の誤りを削減できる。すなわち、このような無線通信装置によれば、物理データチャネルを介してビット系列が再送された場合における物理制御チャネルの受信特性を向上できる。
【００１３】
本発明の第２の特徴は、本発明の第１の特徴に係り、前記制御情報は、物理データチャネルの送信フォーマット（E-TFCI１３）を示す送信フォーマット情報を含み、前記相関値計算部は、前記送信元から送信または再送された前記ビット系列を受信する都度、前記ビット系列と前記レプリカとの相関値を計算し、前記相関値が最大となる前記レプリカから判定される前記送信フォーマット情報を前記送信元から送信または再送される都度、足し合わせ、前記同定部は、前記送信フォーマット情報を同定することを要旨とする。
【００１４】
本発明の第３の特徴は、本発明の第２の特徴に係り、前記相関値計算部は、前記ビット系列に含まれる前記送信フォーマット情報を構成する各ビットの値に対して重み（重みW）が反映された重み反映値（例えば、ビット値a1W1）を計算し、前記同定部は、前記重み反映値に基づいて前記送信フォーマット情報を同定することを要旨とする。
【００１５】
本発明の第４の特徴は、本発明の第３の特徴に係り、前記相関値計算部は、前記ビット系列と、前記レプリカとの相関値を計算し、最大相関値となるレプリカの相関値（相関値CMAX）を平均相関値となるレプリカの相関値（相関値CAV）で除した値を前記重みとして用いることを要旨とする。
【００１６】
本発明の第５の特徴は、本発明の第３の特徴に係り、前記相関値計算部は、前記ビット系列と、前記レプリカとの相関値を計算し、最大相関値となるレプリカの相関値を、前記最大相関値に次いで相関が高くなる相関値（相関値CMAX-1）で除した値を前記重みとして用いることを要旨とする。
【００１７】
本発明の第６の特徴は、本発明の第３の特徴に係り、前記相関値計算部は、前記ビット系列と、送信フォーマット情報レプリカとの相関値を計算し、最大相関値となるレプリカの相関値を、最小相関値（相関値CMIN）となるレプリカの相関値で除した値を前記重みとして用いることを要旨とする。
【００１８】
本発明の第７の特徴は、本発明の第２の特徴に係り、前記相関値計算部は、前記送信元から送信または再送された前記ビット系列を受信する都度、前記ビット系列と前記レプリカとの相関値を計算し、前記レプリカのうち、前記送信フォーマットが同一であるレプリカの相関値を順次累計し、前記同定部は、前記相関値計算部によって累計された前記相関値が最大となる前記レプリカから判定される前記送信フォーマット情報を、前記ビット系列に含まれる前記送信フォーマット情報と同定することを要旨とする。
【００１９】
本発明の第８の特徴は、符号分割多元接続方式が用いられる無線通信システムに含まれ、物理制御チャネルを介して送信元から制御情報を含むビット系列を受信する物理制御チャネル受信方法であって、前記送信元から送信された前記ビット系列と、所定の拡散符号に基づいて生成される前記ビット系列の複数のレプリカとの相関値をそれぞれ計算するステップと、前記送信元から送信された前記ビット系列の相関値、及び物理データチャネルでの再送に伴って前記送信元から再送された前記ビット系列の相関値に基づいて、前記レプリカに含まれる前記制御情報の中から前記ビット系列に含まれる前記制御情報を同定するステップとを備えることを要旨とする。
【発明の効果】
【００２０】
本発明の特徴によれば、符号分割多元接続方式が用いられる無線通信システムにおいて、物理データチャネルを介してビット系列が再送された場合における物理制御チャネルの受信特性を向上させた無線通信装置及び物理制御チャネル受信方法を提供できる。
【図面の簡単な説明】
【００２１】
【図１】本発明の実施形態に係る第３世代携帯電話システム１の全体概略構成図である。
【図２】本発明の実施形態に係る無線通信装置を構成する無線基地局１００の機能ブロック構成図である。
【図３】本発明の実施形態に係る無線基地局１００による制御情報の同定動作フロー（動作例１）を示す図である。
【図４】本発明の実施形態に係る無線基地局１００による制御情報の同定動作フロー（動作例２）を示す図である。
【図５】本発明の実施形態に係る上り方向の物理データチャネル（E-DPDCH）、及び上り方向の物理制御チャネル（E-DPCCH）の構成を示す図である。
【図６】本発明の実施形態に係るE-DPCCHを介して伝送されるビット系列（コードワード空間）の構成例を示す図である。
【図７】本発明の実施形態に係るE-TFCI１３とE-TFCIレプリカ部３１ａとの相関値の一例を示す図である。
【図８】本発明の実施形態に係る相関値CMAX、相関値CAV及び相関値CMINの関係を示す図である。
【図９】本発明の実施形態に係る累計された相関値に基づくE-TFCI１３の同定方法の説明図である。
【発明を実施するための形態】
【００２２】
次に、本発明の実施形態について説明する。具体的には、（１）無線通信システムの全体概略構成、（２）無線通信装置の機能ブロック構成、（３）無線通信装置の動作、（４）作用・効果及び（５）その他の実施形態について説明する。
【００２３】
なお、以下の図面の記載において、同一または類似の部分には、同一または類似の符号を付している。ただし、図面は模式的なものであり、各寸法の比率などは現実のものとは異なることに留意すべきである。
【００２４】
したがって、具体的な寸法などは以下の説明を参酌して判断すべきものである。また、図面相互間においても互いの寸法の関係や比率が異なる部分が含まれていることは勿論である。
【００２５】
（１）無線通信システムの全体概略構成
図１は、本実施形態に係る無線通信システム、具体的には、符号分割多元接続方式が用いられる第３世代携帯電話システム１の全体概略構成図である。第３世代携帯電話システム１は、Third Generation Partnership Project（3GPP）によって作成された仕様、具体的には、Enhanced Uplink（EUL）に従っている。
【００２６】
第３世代携帯電話システム１には、無線ネットワーク制御装置５０、無線基地局１００及び移動機２００が含まれる。なお、第３世代携帯電話システム１に含まれる無線基地局及び移動機の数は、図１に示す数に限定されない。
【００２７】
無線ネットワーク制御装置５０（ＲＮＣ）は、無線基地局１００（Node B）と移動機２００（UE）との無線通信に関する制御を実行する。
【００２８】
無線基地局１００は、移動機２００と符号分割多元接続方式に従った無線通信を実行する。具体的には、無線基地局１００は、下り無線信号ＳＤＮを移動機２００に送信する。一方、移動機２００は、上り無線信号ＳＵＰを無線基地局１００に送信する。
【００２９】
上り無線信号ＳＵＰには、上り方向において用いられる複数の物理チャネルが多重される。具体的には、上り方向における物理制御チャネル（E-DPCCH）や物理データチャネル（E-DPDCH）が多重される。
【００３０】
無線基地局１００と移動機２００との間では、E-DPDCHを介して送信されたビット系列（具体的にはパケット）の再送を要求する自動再送要求（ARQ）と、当該再送に伴って複数回受信した当該ビット系列の合成処理とを含むハイブリッド自動再送要求（HARQ）が適用される。さらに、本実施形態では、E-DPDCHを介して送信されたビット系列の再送に伴って、同様に再送された当該E-DPDCHに対応するE-DPCCHを介して受信したビット系列についても合成処理（Soft Combining）、つまり、HARQが適用される。
【００３１】
（２）無線通信装置の機能ブロック構成
図２は、本実施形態において無線通信装置を構成する無線基地局１００の機能ブロック構成図である。図２に示すように、無線基地局１００は、無線信号送受信部１０１、逆拡散部１０３、ＲＡＫＥ合成部１０５、コードワードレプリカ生成部１０７、相関部１０９、情報格納部１１１、E-DPCCHビット系列検出部１１３、E-DPCCH合成部１１５及び同定部１１７を備える。
【００３２】
なお、以下、本発明との関連がある部分について主に説明する。したがって、無線基地局１００は、無線基地局１００としての機能を実現する上で必須な、図示しない或いは説明を省略した機能ブロック（電源部など）を備える場合があることに留意されたい。
【００３３】
無線信号送受信部１０１は、下り無線信号ＳＤＮを無線基地局１００に送信する。また、無線信号送受信部１０１は、上り無線信号ＳＵＰを移動機２００から受信する。図８は、上り無線信号ＳＵＰに多重される物理チャネルの構成を示す。
【００３４】
具体的には、図５は、上り方向の物理データチャネル（E-DPDCH）、及び上り方向の物理制御チャネル（E-DPCCH）の構成を示す。図５に示すように、E-DPCCHは、E-DPDCHに付随する上り方向の制御チャネルである。無線基地局１００（無線信号送受信部１０１）は、E-DPCCHを介して移動機２００（送信元）から各種の制御情報を含むビット系列Ｂ１（図５において不図示、図６参照）を受信する。
【００３５】
逆拡散部１０３は、無線信号送受信部１０１から出力された受信信号を、コードワードレプリカ３１（図２において不図示、図６参照）と同期させて逆拡散する。逆拡散部１０３は、受信信号を逆拡散することによって複数のパスに分離する。
【００３６】
ＲＡＫＥ合成部１０５は、逆拡散部１０３によって分離された複数のパスにおける受信信号の位相を補正した上で合成した信号を出力する。
【００３７】
コードワードレプリカ生成部１０７は、コードワード２１のレプリカ信号であるコードワードレプリカ３１を生成する。具体的には、コードワードレプリカ生成部１０７は、１０ビットによって構成されるコードワード２１について、最大２１０個、つまり、１，０２４個のコードコードワードレプリカ３１を生成する。
【００３８】
相関部１０９は、ＲＡＫＥ合成部１０５から出力された信号に含まれるビット系列Ｂ１、具体的にはコードワード２１と、複数のコードワードレプリカ３１との相関を検出する。
【００３９】
図６は、E-DPCCHを介して伝送されるビット系列（コードワード空間）の構成例を示す。図６に示すように、ビット系列Ｂ１は、１０ビットによって構成されるコードワード２１を含む。コードワード２１は、各種の制御情報、具体的には、Happyビット１１、RSN１２及びE-TFCI１３の伝送に用いられる。
【００４０】
Happyビット１１は、移動機２００が保持するデータバッファ及び余剰送信電力を考慮して、無線基地局１００が許容したデータ送信率以上のデータを移動機２００が送信することができるか否かを、移動機２００から無線基地局１００に通知するために用いられる。Happyビット１１は、１ビットで表現される。
【００４１】
RSN１２（Retransmission Sequence Number）は、HARQに従ったE-DPDCHにおけるビット系列の再送順序を示す。RSN１２は、２ビットで表現される。
【００４２】
E-TFCI１３（E-DCH Transport Format Combination Indicator）は、Enhanced Dedicated Channel（E-DCH）の送信フォーマットを示す。E-TFCI１３は、７ビットで表現される。つまり、制御情報は、E-DPDCHの送信フォーマットを示す送信フォーマット情報を含む。
【００４３】
また、本実施形態では、１０ビットによって構成されるコードワード２１は、Reed-Muller符号に基づいて３０ビットのビット系列Ｂ２に符号化される。
【００４４】
相関部１０９は、E-DPCCHを介して移動機２００から送信されたビット系列Ｂ１と、コードワードレプリカ３１との相関の程度を判定する。
【００４５】
本実施形態では、相関部１０９は、無線信号送受信部１０１がE-DPDCHを介して受信したビット系列の誤りによって当該ビット系列が再送される毎に、E-DPCCHを介して移動機２００から送信されたビット系列Ｂ１と、コードワードレプリカ３１それぞれとの相関値を保存することができる。
【００４６】
さらに、相関部１０９は、E-DPDCHにおけるビット系列の再送に伴って、E-DPCCHを介して再送されたビット系列Ｂ１に含まれる制御情報の値に対して、相関値を利用した重みを乗算することによってビット系列Ｂ１のSoft Combiningを実行する。このようなSoft Combiningの実行によって、E-DPCCHにおけるビット系列の誤りが低減する。
【００４７】
相関部１０９は、移動機２００から送信または再送されたビット系列Ｂ１を受信する都度、ビット系列Ｂ１とコードワードレプリカ３１との相関値を計算する。相関部１０９は、計算した相関値が最大となるコードワードレプリカ３１から判定される送信フォーマット情報（E-TFCI１３）を移動機２００から送信または再送される都度、足し合わせる。
【００４８】
図７は、受信したE-TFCI１３とE-TFCIレプリカ部３１ａとの相関値の一例を示す図である。具体的には、相関部１０９は、ビット系列Ｂ１に含まれるE-TFCI１３と、コードワードレプリカ３１に含まれるE-TFCI１３のレプリカであるE-TFCIレプリカ部３１ａ（送信フォーマット情報レプリカ）のそれぞれとの相関値を計算する。
【００４９】
相関部１０９は、計算した相関値のランキングの中から、相関値CMAX、相関値CMAX-1、相関値CMIN及び相関値CAVを抽出する。図８は、相関値CMAX、相関値CAV及び相関値CMINの関係を示す。図８に示すように、相関値CMAXは、当該送信時における最大相関値となるコードワードレプリカ３１の相関値である。相関値CMAX-1は、相関値CMAXに次いで当該送信時における相関が高い相関値である。相関値CMINは、当該送信時における最小相関値となるコードワードレプリカ３１の相関値である。である。相関値CAVは、当該送信時における全てのE-TFCIレプリカ部３１ａの平均相関値である。
【００５０】
相関部１０９は、移動機２００から送信または再送されたビット系列Ｂ１を受信する都度、当該相関値を計算する。
【００５１】
また、相関部１０９は、計算した相関値を用いて、受信したE-TFCI１３に対して重み付けを行う重みWを計算する。本実施形態では、相関部１０９は、複数の重みWを計算できる。
【００５２】
相関部１０９は、相関値CMAXを相関値CAVで除した値（相関値CMAX/相関値CAV）を重みWとして用いることができる。また、相関部１０９は、相関値CMAXを相関値CMAX-1で除した値（相関値CMAX/相関値CMAX-1）を重みWとして用いることができる。さらに、相関部１０９は、相関値CMAXを相関値CMINで除した値（相関値CMAX/相関値CMIN）を重みWとして用いることもできる。
【００５３】
また、本実施形態では、相関部１０９は、移動機２００から送信または再送されたビット系列Ｂ１を受信する都度、ビット系列Ｂ１とコードワードレプリカ３１との相関値を計算し、コードワードレプリカ３１のうち、E-TFCI１３が同一であるコードワードレプリカ３１の相関値を順次累計できる。
【００５４】
情報格納部１１１は、相関部１０９から出力された相関値、及びE-DPCCHビット系列検出部１１３から出力されたE-DPCCHの内容、具体的には、Happyビット１１、RSN１２及びE-TFCI１３の値を格納する。
【００５５】
E-DPCCHビット系列検出部１１３は、E-DPCCHを介して受信したビット系列Ｂ１の値を検出する。
【００５６】
E-DPCCH合成部１１５は、情報格納部１１１から出力される相関値及びビット系列Ｂ１と、E-DPCCHビット系列検出部１１３から出力されるビット系列Ｂ１とに基づいて、E-DPCCHの合成処理（Soft Combining）を実行する。
【００５７】
具体的には、E-DPCCH合成部１１５は、受信したビット系列Ｂ１に含まれるE-TFCI１３を構成する各ビットの値に対して重みWが反映された重み反映値を計算する。E-DPCCH合成部１１５は、初回受信時におけるE-TFCI１３の第１ビットの値a1（図７参照）に、ビット系列Ｂ１の初回受信時における重みW1を乗算したビット値a1W1を計算する。同様に、相関部１０９は、初回受信時におけるE-TFCI１３の第２〜第７ビットの値に、初回受信時における重みW1を乗算したビット値（ビット値a２W１〜ビット値a7W1）を計算する。さらに、相関部１０９は、E-DPDCHでの再送に伴うビット系列Ｂ１のＮ回受信時におけるビット値n1WN〜ビット値n7WNを同様に計算する。本実施形態では、相関部１０９及びE-DPCCH合成部１１５によって、相関値計算部が構成される。
【００５８】
また、E-DPCCH合成部１１５は、相関部１０９によって計算された相関値を順次累計できる。つまり、１，０２４個のコードワードレプリカ３１の中には、E-TFCI１３の値が同一であって、残りの３ビット（Happyビット１１及びRSN１２）の値が異なる８個のビット系列Ｂ１のレプリカが存在する。E-DPCCH合成部１１５は、このような値を有するコードワードレプリカ３１の相関値を順次累計する。
【００５９】
同定部１１７は、移動機２００から送信されたビット系列Ｂ１の相関値、及びE-DPDCHの再送に伴って移動機２００から再送されたビット系列Ｂ１の相関値に基づいて、コードワードレプリカ３１に含まれる制御情報の中からビット系列Ｂ１に含まれる制御情報を同定する。
【００６０】
具体的には、同定部１１７は、E-DPCCH合成部１１５から出力される重み反映値（ビット値a1W1など）に基づいて、移動機２００から受信したE-TFCI１３の値を同定する。
【００６１】
同定部１１７は、E-DPDCHでの再送に伴うビット系列Ｂ１のＮ回受信時において、（１式）に基づいて、E-TFCI１３を構成するビット（第１ビット〜第７ビット）毎に、重み付けされたE-TFCI１３の値を計算する。
【数１】
2010283515.tif 000003
【００６２】
同定部１１７は、（１式）による計算結果の値に基づいて、当該ビットの値を０または１に決定する、つまり、硬判定を実行する。同定部１１７は、当該処理を実行することによって、重み反映値に基づいてE-TFCI１３の値を同定する。
【００６３】
また、同定部１１７は、相関部１０９によって累計された相関値が最大となるコードワードレプリカ３１から判定される送信フォーマット情報（E-TFCI１３など）を、受信したビット系列Ｂ１に含まれる送信フォーマット情報と同定することもできる。
【００６４】
図９は、累計された相関値に基づくE-TFCI１３の同定方法の説明図である。図９に示すように、E-TFCI１３の値が同一である８個のビット系列Ｂ１のレプリカ（１２８個）の相関値をビット系列Ｂ１の受信毎に累計した累積相関値CCUMが相関部１０９によって計算される。本実施形態では、同定部１１７は、E-DPDCHでの再送に伴うビット系列Ｂ１のＮ回受信時において、累積相関値CCUMが最大となるE-TFCI１３の値（図中のＰ）を移動機２００から送信されたE-TFCI１３の値と同定する。
【００６５】
（３）無線通信装置の動作
次に、本実施形態において無線通信装置を構成する無線基地局１００の動作について説明する。具体的には、無線基地局１００による制御情報の同定動作について説明する。
【００６６】
（３．１）動作例１
図３は、無線基地局１００による制御情報の同定動作フロー（動作例１）を示す。図３に示すように、ステップＳ１０において、無線基地局１００は、E-DPCCHを介してビット系列Ｂ１を受信する。
【００６７】
ステップＳ２０において、無線基地局１００は、受信したビット系列Ｂ１に含まれるE-TFCI１３の値を検出する。
【００６８】
ステップＳ３０において、無線基地局１００は、受信したビット系列Ｂ１と、コードワードレプリカ３１との相関値を計算するとともに、重みWを計算する。具体的には、無線基地局１００は、相関値CMAX、相関値CMIN及び相関値CAVなど（図８参照）を計算する。また、無線基地局１００は、例えば相関値CMAX/相関値CAVを重みWとして用いる。なお、上述したように、重みWは、相関値CMAX/相関値CMINや、相関値CMAXを相関値CMAXに次いで当該送信時における相関が高い相関値CMAX-1で除した値を用いることもできる。
【００６９】
ステップＳ４０において、無線基地局１００は、上述した（１式）に基づいて、E-TFCI１３を構成するビット（第１ビット〜第７ビット）毎に値を計算する。
【００７０】
ステップＳ５０において、無線基地局１００は、E-DPDCHでの再送に伴ってビット系列Ｂ１をN回受信したか否かを判定する。
【００７１】
ビット系列Ｂ１をN回受信した場合（ステップＳ５０のＹＥＳ）、ステップＳ６０において、無線基地局１００は、N回の受信伴う計算結果に基づいて、E-TFCI１３の値を同定する。具体的には、（１式）による計算結果の値に基づいて、E-TFCI１３の各ビットの値を０または１に決定する。
【００７２】
（３．２）動作例２
図４は、無線基地局１００による制御情報の同定動作フロー（動作例２）を示す。図４に示すように、ステップＳ１１０において、無線基地局１００は、無線基地局１００は、E-DPCCHを介してビット系列Ｂ１を受信する。
【００７３】
ステップＳ１２０において、無線基地局１００は、E-TFCI１３の値が同一であって、残りの３ビット（Happyビット１１及びRSN１２）の値が異なる８個のビット系列Ｂ１について、当該ビット系列Ｂ１のコードワードレプリカ３１の相関値を累計した累積相関値CCUMを計算する。
【００７４】
ステップＳ１３０において、無線基地局１００は、E-DPDCHでの再送に伴ってビット系列Ｂ１をN回受信したか否かを判定する。
【００７５】
ビット系列Ｂ１をN回受信した場合（ステップＳ１３０のＹＥＳ）、ステップＳ１４０において、無線基地局１００は、累積相関値CCUMが最大となるE-TFCI１３の値を移動機２００から送信されたE-TFCI１３の値と同定する。
【００７６】
（４）作用・効果
無線基地局１００によれば、移動機２００から送信されたビット系列Ｂ１の相関値、及びE-DPDCHの再送に伴って移動機２００から再送されたビット系列Ｂ１の相関値に基づいて、コードワードレプリカ３１に含まれるE-TFCI１３の中から、受信したビット系列Ｂ１に含まれるE-TFCI１３が同定される。このため、E-DPDCHでの再送に伴って送信元からE-DPCCHを介して再送されたビット系列Ｂ１を利用してE-TFCI１３の誤りを削減できる。すなわち、無線基地局１００によれば、E-DPDCHを介してビット系列Ｂ１が再送された場合におけるE-DPCCHの受信特性を向上できる。
【００７７】
また、E-DPCCHの受信特性が向上すると、結果的に無線レイヤにおける伝送効率も向上する。
【００７８】
本実施形態では、E-TFCI１３を構成する各ビットの値に対して重みWが反映された重み反映値（例えば、ビット値a1W1）が計算され、重み反映値に基づいてE-TFCI１３の値が同定される。すなわち、他のコードワードレプリカ３１よりも際立って相関値が高いコードワードレプリカ３１は、信頼度が高い可能性が大きいため、相関値が高いコードワードレプリカ３１に対する重み付けを大きくすることによって、正しいコードワードレプリカ３１、つまり、正しいE-TFCI１３を推定する確率が向上する。
【００７９】
本実施形態では、E-TFCI１３の値が同一であって、残りの３ビット（Happyビット１１及びRSN１２）の値が異なる８個のビット系列Ｂ１について、当該ビット系列Ｂ１のコードワードレプリカ３１の相関値を累計した累積相関値CCUMが計算される。また、累積相関値CCUMが最大となるE-TFCI１３の値が、移動機２００から送信されたE-TFCI１３の値と同定される。このため、同定されたE-TFCI１３の値の信頼度がさらに向上する。
【００８０】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００８１】
例えば、上述した本発明の実施形態では、重みWが反映された重み反映値（例えば、ビット値a1W1）が計算され、重み反映値に基づいてE-TFCI１３の値が同定されていたが、重みWは、必ずしも用いなくても構わない。この場合、重み反映値の計算が不要となるため、計算量を抑制しつつ、E-DPCCHにおけるHARQのゲインを得られる。
【００８２】
上述した実施形態では、無線基地局１００における処理について説明したが、上述した制御情報の同定処理は、無線基地局１００のみではなく、移動機２００も勿論実行してもよい。
【００８３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００８４】
１…第３世代携帯電話システム、１１…Happyビット、１２…RSN、１３…E-TFCI、２１…コードワード、３１…コードワードレプリカ、３１ａ…E-TFCIレプリカ部、５０…無線ネットワーク制御装置、２００…移動機、１００…無線基地局、１０１…無線信号送受信部、１０３…逆拡散部、１０５…ＲＡＫＥ合成部、１０７…コードワードレプリカ生成部、１０９…相関部、１１１…情報格納部、１１３…E-DPCCHビット系列検出部、１１５…E-DPCCH合成部、１１７…同定部、Ｂ１，Ｂ２…ビット系列、ＳＤＮ…下り無線信号、ＳＵＰ…上り無線信号
【図１】
2010283515.tif 000004
【図２】
2010283515.tif 000005
【図３】
2010283515.tif 000006
【図４】
2010283515.tif 000007
【図５】
2010283515.tif 000008
【図６】
2010283515.tif 000009
【図７】
2010283515.tif 000010
【図８】
2010283515.tif 000011
【図９】
2010283515.tif 000012